(57)【要約】      （修正有）【課題】ヒータスクリーンの清掃を容易にした業務用乾燥装置を提供する。【解決手段】外部空気を加熱してメッシュ円筒状の内胴４５４の内部に流入し、加熱空気により内胴４５４に収納した洗濯物４５７を乾燥させる業務用乾燥装置であって、空気を流通させる空気流通経路が延びる方向に間隔をおいて配置された一対の差圧計４６１及び４６２と、長尺状のフィルタを巻成した一方の回転ローラと、空気流通経路中にフィルタが配置され、且つ一方の回転ローラから延びるフィルタを巻き取る他方の回転ローラとを備える。一対の差圧計４６１及び４６２により検出した圧力差が所定値を越えたときに回転ローラの巻き取りによりヒータスクリーンを巻き取り可能である。【選択図】図１
0003156128.tif 000002
【実用新案登録請求の範囲】
【請求項１】
外部空気を加熱してメッシュ円筒状の内胴の内部に流入させ、該加熱空気により内胴に収納した洗濯物を乾燥させる業務用乾燥装置であって、
前記空気を流通させる空気流通経路が延びる方向に間隔をおいて配置された一対の差圧計と、長尺状のフィルタを巻成した一方の回転ローラと、前記空気流通経路の空気が前記フィルタを通過するように配置され、且つ前記一方の回転ローラから延びるフィルタを巻き取る他方の回転ローラとを備えた業務用乾燥装置。
【考案の詳細な説明】
【技術分野】
【０００１】
本考案は、クリーニング工場等にて洗濯物を乾燥するための業務用乾燥装置に係り、特にクリーニング工場等の建家内部に飛散するリント（綿ぼこり等）を捕捉するヒータスクリーンを具備した業務用乾燥装置に関する。
【背景技術】
【０００２】
一般にクリーニング工場等にて洗濯物を乾燥するための業務用乾燥装置は、回転するドラム内に収納した洗濯物に熱風を吹き当てることにより、洗濯物の乾燥を行うものであるが、クリーニング工場の建家内においては多量のリントが空気中に浮遊すると共に、乾燥時に洗濯物から微細なリントが大量に飛散するため、当該リントを回収するためのヒータスクリーン（フィルター）を空気循環経路中に配置し、このヒータスクリーンによりリントを捕捉する様に構成されている。
【０００３】
尚、前記ヒータスクリーン付きの業務用乾燥装置に関する技術が記載された文献としては下記特許文献１が挙げられる。
【先行技術文献】
【特許文献】
【０００４】
【特許文献１】特開２００７−２７５１１６号公報
【考案の概要】
【考案が解決しようとする課題】
【０００５】
前述の特許文献１には、ヒータスクリーンにて捕捉したリントに空気を噴射することによってスクリーンの自動清掃を行うための技術が記載されているものの、空気噴霧によりリントがクリーニング工場内に飛散し、工場内の環境に対して好ましくないものであって、この飛散したリントを吸引する機構を別途用意する必要があると言う不具合があった。また、乾燥装置上部に配置されるヒータスクリーンは、高所のために清掃や保守作業が困難であると言う不具合もあった。
【０００６】
本考案の目的は、保守作業が容易なヒートスクリーン機構を備えた業務用乾燥装置を提供することである。
【課題を解決するための手段】
【０００７】
前記目的を達成するために本考案は、外部空気を加熱してメッシュ円筒状の内胴の内部に流入させ、該加熱空気により内胴に収納した洗濯物を乾燥させる業務用乾燥装置であって、前記空気を流通させる空気流通経路が延びる方向に間隔をおいて配置された一対の差圧計と、長尺状のフィルタ（スクリーン）を巻成した一方の回転ローラと、前記空気流通経路の空気が前記フィルタを通過するように配置され、且つ前記一方の回転ローラから延びるフィルタを巻き取る他方の回転ローラとを備えたことを特徴とする。
【考案の効果】
【０００８】
本考案による業務用乾燥装置は、フィルタの目詰まりを一対の差圧計により検出したとき、前記回転ローラを回転させてフィルタを巻き取ることによって、フィルタの清掃作業を容易に行うことができる。
【図面の簡単な説明】
【０００９】
【図１】本考案一実施形態による業務用乾燥装置の全体構成図。
【図２】本実施形態による巻き取り式ヒータスクリーン機構を示す図。
【考案を実施するための形態】
【００１０】
本考案の一実施形態による巻き取り式ヒータスクリーン機構付きの業務用乾燥装置は、図１に示す如く、洗濯物４５７を収納して回転するメッシュ円筒状の内胴４５４と、該内胴４５４の外周を覆って後述する熱風の流通経路を形成する外胴４５５と、該外胴４５５の一方の上部開放部に配置され、外部空気を加熱するためのヒータ４５３と、前記該外胴４５５の他方の上部開放部に配置され、内部空気を外部に排出するようにファンモータ４５０に回転されるファン４５１と、前記ヒータ４５３の上部に設けられ、本考案の特徴である巻き取り式のヒータスクリーン４６６を具備するヒータスクリーン機構部４６０と、前記内胴４５４から空気を排出する経路内に配置されるリントスクリーン４５８と、一対の差圧計４６１及び４６２とを備え、前述のファン４５１の回転によって、装置上部のヒータスクリーン機構部４６０のヒータスクリーン４６６を介して外部空気をヒータ４５３により加熱しながら吸入し、洗濯物を熱風により乾燥した内部空気をヒータスクリーン４５８を介して外部に排出する様に構成されている。
【００１１】
尚、本実施形態においては、ヒータスクリーン４６６を通過後の位置の風速圧を一対の差圧計４６１及び４６２により検出する例を示したが、ヒータスクリーン４６６を通過する前の位置（スクリーンの上位置）に差圧計４６１を配置し、ヒータスクリーン４６６を通過した後の位置（スクリーンの下位置）に差圧計４６２を配置するように構成しても良く、更には１つの風速計をヒータスクリーン４６６を通過した後の位置（スクリーンの下位置）に配置し、風速の変化によりスクリーン目詰まりを検出する様に構成しても良い。
【００１２】
前記ヒータスクリーン機構部４６０は、図２に示す如く、開口した角筒状の枠部４６３と、該枠部４６３の空気流入側に配置され、一方の巻取ローラ４６７の回転によりヒータスクリーン４６６を他方の巻取ローラ４６７から巻き取る様に構成されている。前記ヒータスクリーン４６６は、例えば、芳香族ポリアミド製で摂氏１００度〜２４０度に耐えうる耐熱フィルタが好ましい。また前記差圧計４６１及び４６２は、差圧計４６１により検出した空気流通時の空気圧と差圧計４６２により検出した空気流通時の空気圧との差異を検出することによって、ヒータスクリーン４６６のリントによる目詰まりの程度を空気圧差によって検出するためのものである。
【００１３】
前記ヒータスクリーン機構部４６０の回転ローラ４６３の回転は、手動であっても自動であっても良く、自動の場合は、前述の差圧計４６１及び４６２により検出した圧力差が既定値を超えた場合に、ヒートスクリーン４６６を枠部４６３の長さ分だけモータ回転により巻き取る様に構成するのが好ましい。また、前記リントスクリーン４５８は、ヒータスクリーン機構部４６０同様にスクリーンを回転により巻き取る機構を設けても良い、
この様に構成した業務用乾燥装置は、外部空気をヒータスクリーン４６６を介して外部空気を内部に流入する際に外部空気中に浮遊するリントをヒータスクリーン４６６が捕捉し、目詰まりが生じた場合、前述の差圧計４６１及び４６２が空気圧差により目詰まりを検出し、手動又は自動によりヒータスクリーン４６６を所定値巻き取ることによっても、容易に目詰まりを解消することができ、作業効率も向上することができる。
【符号の説明】
【００１４】
４５０：ファンモータ、４５１：ファン、４５３：ヒータ、４５４：内胴、４５５：外胴、４５７：洗濯物、４６６：ヒータスクリーン、４５８：リントスクリーン、４６０：ヒータスクリーン機構部、４６１及び４６２：差圧計、４６７：巻取回転ローラ、４６３：枠部。
【図１】
0003156128.tif 000003
【図２】
0003156128.tif 000004